(57)【特許請求の範囲】
【請求項１】
水面に浮かべて覆蓋する覆蓋パネルにおいて、覆蓋パネルが、天板部と、該天板部の外周に形成された周壁部とを有するとともに、該覆蓋パネルを比重が１未満の合成樹脂製の板材から構成し、板材の浮力のみによって水面に浮かべて用いられることを特徴とする覆蓋パネル。
【請求項２】
前記天板部に小孔が形成されてなることを特徴とする請求項１記載の覆蓋パネル。
【請求項３】
前記周壁部にスリットが形成されてなることを特徴とする請求項１又は２記載の覆蓋パネル。
【発明の詳細な説明】
【技術分野】
【０００１】
本発明は、各種の処理槽や貯留槽等の水面を覆うために用いられる覆蓋パネルに関し、特に、水面に浮かべて覆蓋する覆蓋パネルに関するものである。
【背景技術】
【０００２】
従来、例えば、浄水場においては、原水に凝集剤を添加して凝集・沈澱処理した後、この処理水を活性炭処理及び砂濾過処理する処理方法が採用されており、これらの処理は、それぞれ専用の処理槽において行うようにしている。
【０００３】
ところで、これらの処理を行う処理槽は、通常、上部を解放したままのものが多く用いられており、このため、大気中の塵埃が処理槽内に侵入したり、処理槽内に太陽光が直接照射されることによって藻類が大量に発生することにより、処理水の処理工程に支障が生じたり、処理水の品質が低下するという問題があった。
【０００４】
そこで、フロートを備えたパネルを水面に浮かべて覆蓋する覆蓋パネルが提案されている（例えば、特許文献１及び２参照）。
【０００５】
しかしながら、従来の覆蓋パネルは、フロートを設ける必要があることから、強風によって覆蓋パネルが舞い上がり飛散しやすく、また、これを防止するための構造が複雑になり、製造コストが高くなるという問題を有していた。
【０００６】
また、水面に浮かべて覆蓋するものではないが、処理槽を覆う技術に関して、水処理における生物処理を促進するために特定の波長領域の光を透過する選択透過性を有するようにした遮光板が提案されている（例えば、特許文献３参照）が、従来の水面に浮かべて覆蓋するものの場合、フロートを設ける必要があることから、生物処理に必要な量の光を透過するように構成することが困難であった。
【先行技術文献】
【特許文献】
【０００７】
【特許文献１】特開平１０−１７３２１２号公報
【特許文献２】特開２００４−２２４３７６号公報
【特許文献３】特許第２７０２０８１号公報
【発明の概要】
【発明が解決しようとする課題】
【０００８】
本発明は、上記従来の覆蓋パネルの有する問題点に鑑み、強風によって覆蓋パネルが舞い上がって飛散しにくく、構造が簡易で、製造コストが低廉な、水面に浮かべて覆蓋する覆蓋パネルを提供することを目的とする。
【課題を解決するための手段】
【０００９】
上記目的を達成するため、本発明の覆蓋パネルは、水面に浮かべて覆蓋する覆蓋パネルにおいて、覆蓋パネルが、天板部と、該天板部の外周に形成された周壁部とを有するとともに、覆蓋パネルを比重が１未満の合成樹脂製の板材から構成し、板材の浮力のみによって水面に浮かべて用いられることを特徴とする。
【００１０】
この場合において、前記周壁部にスリットを形成することができる。
【００１１】
また、前記天板部に小孔を形成することができる。
【発明の効果】
【００１２】
本発明の覆蓋パネルによれば、覆蓋パネルを比重が１未満の合成樹脂製の板材から構成し、板材の浮力のみによって水面に浮かべて用いられるようにすることにより、フロートを設ける必要がないことから、強風によって覆蓋パネルが舞い上がって飛散しにくく、構造が簡易で、製造コストが低廉な、水面に浮かべて覆蓋する覆蓋パネルを提供することができる。
【００１３】
そして、覆蓋パネルを、天板部と、該天板部の外周に形成された周壁部とを有するようにすることにより、覆蓋パネル同士が重なり合うことを防止するとともに、覆蓋パネルの天板部の下面に空気層が形成されにくく、強風によって覆蓋パネルが舞い上がって飛散しにくくすることができ、覆蓋パネルの設置安定性を向上することができる。
【００１４】
また、前記周壁部にスリットを形成することにより、覆蓋パネルの天板部の下面に入り込んだ空気（槽内で発生した気体を含む。）をスリットを通して放出することができ、覆蓋パネルの設置安定性を向上することができる。
【００１５】
また、前記天板部に小孔を形成することにより、覆蓋パネルの天板部の下面に入り込んだ空気（槽内で発生した気体を含む。）を小孔を通して放出することができ、覆蓋パネルの設置安定性を向上することができるとともに、小孔を覆蓋パネルを移動させる際の引っ掛け部や隣接設置した覆蓋パネル同士を接続する場合の接続部として利用することができる。
【図面の簡単な説明】
【００１６】
【図１】本発明の覆蓋パネルの一実施例を示す説明図である。
【図２】同覆蓋パネルの変形実施例を示し、（ａ）は正面図、（ｂ）は（ａ）のＸ−Ｘ端面図である。
【発明を実施するための形態】
【００１７】
以下、本発明の覆蓋パネルの実施の形態を、図面に基づいて説明する。
【００１８】
図１に、本発明の覆蓋パネルの一実施例を示す。
この覆蓋パネル１は、水面に浮かべて覆蓋するもので、覆蓋パネル１を比重が１未満の合成樹脂製の板材から構成し、板材の浮力のみによって水面に浮かべて用いることができるようにしている。
【００１９】
覆蓋パネル１の形状は、矩形、円形、隣接設置する覆蓋パネルと嵌合する形状等の任意の形状とすることができる。
また、覆蓋パネル１の大きさ及び板材の厚さも、覆蓋する槽の形状に応じて任意の大きさ及び厚みとすることができ、本実施例においては、例えば、縦Ｌ１：３００〜３０００ｍｍ、横Ｌ２：３００〜３０００ｍｍ、後述の周壁部１２の高さＬ３：数ｍｍ〜２００ｍｍ、板材の厚さ：１〜１０ｍｍの平面形状が正方形又は長方形の覆蓋パネル１（図示のものは、縦Ｌ１：９００ｍｍ、横Ｌ２：９００ｍｍ、周壁部１２の高さＬ３：５０ｍｍ、板材の厚さ：３ｍｍ。）を組み合わせて用いるようにしている。
ちなみに、浄水場の緩速濾過池（８２１０ｍｍ×３６５０ｍｍ）に適用する場合は、縦Ｌ１：９００ｍｍ、横Ｌ２：９００ｍｍの覆蓋パネル１を、縦方向に９列、横方向に４列並べることにより、緩速濾過池の水面をほぼ覆うことができる。
【００２０】
覆蓋パネル１を構成する合成樹脂には、比重が１未満の合成樹脂、特に、未発泡で比重が１未満であり、化学的に安定し水に対する溶出成分がなく、硬質で、かつ、引っ張りや折り曲げに対して大きな強度特性を有するポリプロピレン（比重：０.９〜０．９２）を好適に用いることができる。
合成樹脂には、耐候性を向上するために、紫外線吸収剤（光安定剤）、酸化防止剤等の合成樹脂添加剤を添加することができる。
【００２１】
また、合成樹脂には、処理槽内に太陽光が直接照射されることによって藻類が大量に発生することにより、処理水の処理工程に支障が生じたり、処理水の品質が低下することを防止するために、遮光性を付与する顔料を添加するようにする。
この顔料には、黒色の顔料のほか、緑色の顔料を添加することができる。
特に、緑色の顔料を添加することにより、板材を４５０〜６００ｎｍ、より好ましくは、５００〜５６０ｎｍの緑色の波長領域の光を透過する選択透過性を有するように構成することができ、これにより、浄水場の緩速濾過池における生物処理を促進することができる。
【００２２】
覆蓋パネル１は、平板状のものを使用することもできるが、本実施例のように、天板部１１と、天板部１１の外周に形成された周壁部１２とから構成することが好ましい。
なお、周壁部１２の高さＬ３は、本実施例においては、５０ｍｍに形成するようにしているが、設置状況等に応じて、数ｍｍ〜２００ｍｍ程度の範囲で任意に設定することができる。
これにより、周壁部１２によって、隣接設置した覆蓋パネル１同士が重なり合うことを防止するとともに、覆蓋パネル１の天板部１１の下面に空気層が形成されにくく、強風によって覆蓋パネル１が舞い上がって飛散しにくくすることができ、覆蓋パネル１の設置安定性を向上することができる。
【００２３】
この場合、周壁部１２に天板部１１に達するスリット（細隙）１３を形成することが好ましい。これにより、覆蓋パネル１の天板部１１の下面に入り込んだ空気（槽内で発生した気体を含む。）をスリット１３を通して放出することができ、覆蓋パネル１の設置安定性を向上することができる。
なお、スリット１３は、本実施例においては、合成樹脂製の板材からなる素材を折り曲げ加工して天板部１１及び周壁部１２を形成する際に、周壁部１２の角部を溶接や接着しないようにすることで、容易に形成することができる。
なお、スリット１３は、周壁部１２の角部の周壁部１２の任意の位置に形成することができ、また、その形状も、縦長、横長、円形等の任意の形状とすることができる。
【００２４】
また、天板部１１には、小孔１４、１５を形成するようにしている。
これにより、覆蓋パネル１の天板部１１の下面に入り込んだ空気（槽内で発生した気体を含む。）を小孔１４、１５を通して放出することができ、覆蓋パネル１の設置安定性を向上することができるとともに、小孔１４、１５を覆蓋パネル１を移動させる際の引っ掛け部や隣接設置した覆蓋パネル１同士を接続する場合の接続部として利用することができる。
なお、小孔１４、１５は、その大きさを、数ｍｍ〜１０ｍｍ程度の範囲で任意に設定することができるが、覆蓋パネル１を移動させる際の引っ掛け部として利用する場合には、それより大きい２０〜５０ｍｍ程度の大きさとすることが望ましく、また、その形状も、円形のほか、長円形等の任意の形状とすることができる。
【００２５】
また、図２に示す本発明の覆蓋パネルの変形実施例のように、天板部１１を凹凸形状、具体的には、中心部１１ａと周縁部１１ｃを凸状に、その中間部１１ｂを凹状に形成し、凹状に形成した中間部１１ｂに小孔１４を形成することにより、覆蓋パネル１の強度を高めるとともに、天板部１１の上面に降った雨を小孔１４を通して排出することができ、覆蓋パネルの設置安定性を向上することができる。
この覆蓋パネルにおいても、図１に示す実施例と同様、周壁部１２に天板部１１に達するスリット（図示省略）を形成することが好ましい。
【００２６】
このように、この覆蓋パネル１によれば、覆蓋パネル１を比重が１未満の合成樹脂製の板材から構成し、板材の浮力のみによって水面に浮かべて用いられるようにすることにより、フロートを設ける必要がないことから、強風によって覆蓋パネルが舞い上がって飛散しにくく、構造が簡易で、製造コストが低廉な、水面に浮かべて覆蓋する覆蓋パネルを提供することができる。
【００２７】
以上、本発明の覆蓋パネルについて、その実施例に基づいて説明したが、本発明は上記実施例に記載した構成に限定されるものではなく、その趣旨を逸脱しない範囲において適宜その構成を変更することができるものである。
【産業上の利用可能性】
【００２８】
本発明の覆蓋パネルは、強風によって覆蓋パネルが舞い上がって飛散しにくく、構造が簡易で、製造コストが低廉である特性を有していることから、水面に浮かべて覆蓋する覆蓋パネルの用途に好適に用いることができる。
【符号の説明】
【００２９】
１    覆蓋パネル
１１  天板部
１１ａ  中心部（凸部）
１１ｂ  中間部（凹部）
１１ｃ  周縁部（凸部）
１２  周壁部
１３  スリット
１４  小孔
１５  小孔
【図１】
0005698054.tif 000002
【図２】
0005698054.tif 000003